(57)【要約】【課題】天井面に取り付けられるＬＥＤ照明の取付け位置の設計を容易にすることができると共に、レイアウトを変更してもそれに適した照らされ方となるようにすることができる天井取付け式ＬＥＤ照明構造を提供する。【解決手段】水平方向に直線ライン状に列設された照明用のＬＥＤ光源３…の群が備えられ、該ＬＥＤ光源３…の群は、前記ライン方向と平行な軸線回りで回動させることができるようになされており、回動させることによりＬＥＤ光源３…からの光の放射方向を変更することができるようになされている。その場合に、複数の照明用のＬＥＤ光源３…を一組として複数の組４…が水平方向に直線ライン状に列設されると共に、各組４は、前記ライン方向と平行な軸線回りで個別に回動させることができるようになされているとなおよい。【選択図】      図１
2010177140.tif 000002
【特許請求の範囲】
【請求項１】
水平方向に直線ライン状に列設された照明用のＬＥＤ光源の群が備えられ、該ＬＥＤ光源の群は、前記ライン方向と平行な軸線回りで回動させることができるようになされており、回動させることによりＬＥＤ光源からの光の放射方向を変更することができるようになされていることを特徴とする天井取付け式ＬＥＤ照明構造。
【請求項２】
一つ又は複数の照明用のＬＥＤ光源を一組として複数の組が水平方向に直線ライン状に列設されると共に、各組は、前記ライン方向と平行な軸線回りで個別に回動させることができるようになされており、回動させることによりＬＥＤ光源からの光の放射方向を組単位で変更することができるようになされていることを特徴とする天井取付け式ＬＥＤ照明構造。
【発明の詳細な説明】
【技術分野】
【０００１】
本発明は、天井取付け式ＬＥＤ照明構造に関する。
【背景技術】
【０００２】
白色ＬＥＤの実用化に伴い、ＬＥＤを、屋内外の照明に用いるための試みが種々行われている。
【先行技術文献】
【特許文献】
【０００３】
【特許文献１】特開２００７−１６５０５１号公報
【発明の概要】
【発明が解決しようとする課題】
【０００４】
しかしながら、ＬＥＤの光源から発せられる光には、指向性があることから、蛍光灯による照明では問題とならないことが、ＬＥＤを用いた照明では問題となることがある。
【０００５】
そのような問題の一つとして、店舗や事務所等の屋内において、天井面に設置された直管形の蛍光灯によれば、該蛍光灯の長手方向と直交する全方向に光を放射するので、屋内を広範囲にわたって照らすことができるが、水平方向に直線ライン状に列設したＬＥＤ光源の群による照明を天井に設置した場合には、各ＬＥＤ光源の有する指向性によって、ライン方向と直交する限られた狭い角度範囲しか照らすことができず、そのため、照明設計において、天井面におけるＬＥＤ照明の取付け位置を物件毎にそれに適した特定位置に決めていかなければならなかったり、また、室内において、デスクや、棚等の什器類のレイアウトを変更すると、変更後のレイアウトに適した照らされ方がなされなくなってしまうという問題を生じることがある。
【０００６】
本発明は、上記のような問題点に鑑み、天井面に取り付けられるＬＥＤ照明の取付け位置の設計を容易にすることができると共に、レイアウトを変更してもそれに適した照らされ方となるようにすることができる天井取付け式ＬＥＤ照明構造を提供することを課題とする。
【課題を解決するための手段】
【０００７】
上記の課題は、水平方向に直線ライン状に列設された照明用のＬＥＤ光源の群が備えられ、該ＬＥＤ光源の群は、前記ライン方向と平行な軸線回りで回動させることができるようになされており、回動させることによりＬＥＤ光源からの光の放射方向を変更することができるようになされていることを特徴とする天井取付け式ＬＥＤ照明構造によって解決される（第１発明）。
【０００８】
この構造では、ＬＥＤ光源の群をライン方向と平行な軸線回りで回動させることでＬＥＤ光源からの光の放射方向を変更することができるようになされているので、設計において、天井面における照明の取付け位置が室内の照らされ方との関係でアバウトであっても、施工においてＬＥＤ光源の群をライン方向と平行な軸線回りで回動させることにより、室内の照らされ方をその室に適したものにすることができて、ＬＥＤ照明の取付け位置の設計を容易にすることができ、また、室内におけるレイアウトを変更してもそれに適した照らされ方となるようにすることができる。
【０００９】
また、上記の課題は、一つ又は複数の照明用のＬＥＤ光源を一組として複数の組が水平方向に直線ライン状に列設されると共に、各組は、前記ライン方向と平行な軸線回りで個別に回動させることができるようになされており、回動させることによりＬＥＤ光源からの光の放射方向を組単位で変更することができるようになされていることを特徴とする天井取付け式ＬＥＤ照明構造（第２発明）によっても、同様に解決される。
【００１０】
特に、第２発明の構造では、ラインを構成する各組が個別に光の放射方向を変更することができるようになされているので、直線ライン状でありながら、必要に応じて、より細かい調節をすることができて、その室内や、その室内におけるレイアウトの変更に、より一層適した照らされ方となるようにすることができる。
【発明の効果】
【００１１】
本発明の天井取付け式ＬＥＤ照明構造は、以上のとおりのものであるから、天井面に取り付けられるＬＥＤ照明の取付け位置の設計を容易にすることができると共に、レイアウトを変更してもそれに適した照らされ方となるようにすることができる。
【図面の簡単な説明】
【００１２】
【図１】第１実施形態の天井取付け式ＬＥＤ照明構造を示すもので、図（イ）は照明器具の下面図、図（ロ）及び図（ハ）は図（イ）のＩ−Ｉ線断面矢視図、図（ニ）はライン状に列設されたＬＥＤ光源の群の構成を示す斜視図、図（ホ）は組としてのＬＥＤモジュールを示す正面図である。
【図２】図（イ）は同照明構造を示す部分断面正面図、図（ロ）〜図（ハ）は図（イ）のＡ〜Ｆのいずれかの位置でのＬＥＤモジュールの回動動作後の例を示す部分断面側面図である。
【図３】第２実施形態の天井取付け式ＬＥＤ照明構造を示すもので、図（イ）は照明器具の下面図、図（ロ）及び図（ハ）は図（イ）のＩ−Ｉ線断面矢視図、図（ニ）はライン状に列設されたＬＥＤ光源の群の構成を示す斜視図、図（ホ）はＬＥＤモジュールを示す正面図である。
【図４】図（イ）は同照明構造を示す部分断面正面図、図（ロ）〜図（ハ）はＬＥＤ光源の群の回動動作後の例を示す部分断面側面図である。
【発明を実施するための形態】
【００１３】
次に、本発明の実施形態を図面に基づいて説明する。
【００１４】
図１及び図２に示す第１実施形態の天井取付け式ＬＥＤ照明構造において、１は天井面、２はＬＥＤ照明器具であり、該照明器具２は、方形立体状をしており、上面部が天井面１に沿わされて天井面１に下方突出状態に取り付けられて設置されている。
【００１５】
そして、照明器具２には、天井面１と平行な水平方向であって該照明器具２の長手方向に直線ライン状に列設された照明用ＬＥＤ光源３…の群が床面側を照らすように備えられており、該ＬＥＤ光源３…の群は、ライン方向と平行な軸線回りで回動させることができるようになされており、回動させることによりＬＥＤ光源３からの光の放射方向を変更することができるようになされている。
【００１６】
特に、本実施形態では、上記の照明用ＬＥＤ光源３…の群は、図１（ニ）に示すように、１つ又は図示するようにライン方向に列設された複数の照明用のＬＥＤ光源３…を一つの組４として、複数の組４…が直線ライン状に列設された構成となっていて、各組４…は、前記ライン方向と平行な軸線回りで個別に回動させることができるようになされており、回動させることによりＬＥＤ光源３…からの光の放射方向を組単位で変更することができるようになされている。
【００１７】
具体的には、本実施形態では、ＬＥＤ光源３としてのＬＥＤパッケージを複数個列設状態となるように埋め込んで構成されたＬＥＤモジュール４を一組としており、該ＬＥＤモジュール４を、それを構成するＬＥＤ光源３…がライン方向に列設された状態となるように向けて、複数個、ライン方向に列設した構成となっていて、各ＬＥＤモジュール４…には、それぞれのモジュール４…用に備えられた複数の灯具６…に保持され、それにより、各ＬＥＤモジュール４…を、モジュール単位で、ライン方向と平行な軸線回りで個別に回動させることができるようになされている。
【００１８】
上記の構造では、ＬＥＤ光源３…の群をライン方向と平行な軸線回りで回動させることでＬＥＤ光源３…からの光の放射方向を変更することができるようになされているので、設計において、天井面１における照明の取付け位置が室内の照らされ方との関係でアバウトであっても、施工においてＬＥＤ光源３…の群をライン方向と平行な軸線回りで回動させることにより、室内の照らされ方をその室に適したものにすることができて、天井面１におけるＬＥＤ照明の取付け位置の設計を容易にすることができ、また、室内におけるレイアウトを変更してもそれに適した照らされ方となるようにすることができる。
【００１９】
特に、本実施形態では、各ＬＥＤモジュール４…を、モジュール単位で、ライン方向と平行な軸線回りで個別に回動させることができるようになされているので、直線ライン状でありながら、必要に応じて、図２に示すように、例えば、位置Ａ，Ｄのモジュール４，４を図２（ロ）に示すような向きに向け、位置Ｂ，Ｅのモジュール４，４を図２（ハ）に示すような向きに向け、位置Ｃ，Ｆのモジュール４，４を図２（ニ）に示すような向きに向けるというような、細かい向き調節をすることもできて、その室内や、その室内におけるレイアウトの変更に、より一層適した照らされ方となるようにすることができる。
【００２０】
図３及び図４に示す第２実施形態の天井取付け式ＬＥＤ照明構造は、図３（ニ）に示すように、各ＬＥＤモジュール４…が共通の一つの灯具６に保持され、それにより、各ＬＥＤモジュール４…を、ライン方向と平行な軸線回りで一体的に回動させることができるようになされているものである。このような構造によっても、図４（ロ）（ハ）（ニ）に示すような向きに回動させることにより、その室に適した照らされ方となるようにすることができて、天井面１におけるＬＥＤ照明の取付け位置の設計を容易にすることができ、また、室内におけるレイアウトを変更してもそれに適した照らされ方となるようにすることができる。
【００２１】
なお、いずれの実施形態構造においても、照らす部分の明るさを調節することができるように、ＬＥＤ光源３…は、調光できるようになされているのが良い。
【符号の説明】
【００２２】
１…天井面
２…ＬＥＤ照明器具
３…照明用ＬＥＤ光源
４…モジュール（組）
【図１】
2010177140.tif 000003
【図２】
2010177140.tif 000004
【図３】
2010177140.tif 000005
【図４】
2010177140.tif 000006